(57)【特許請求の範囲】
【請求項１】
被試験変圧器に対する誘導試験用高周波電源を作成するためのインバータと、
このインバータに交流電源を供給する電源供給路を構成する主回路スイッチと、
前記インバータに対する電源供給路に設けられた高周波成分低減用のブロッキングコイルと、
前記インバータの出力電圧を調整する電圧調整器と、
この電圧調整器の出力電圧を昇圧して前記被試験変圧器に供給するための複数の昇圧変圧器と、
これらの複数の昇圧変圧器の１つに選択的に電圧調整器の出力電圧を供給する選択手段と、
前記主回路スイッチおよびインバータを制御する制御装置とを具備することを特徴とする変圧器の誘導試験装置。
【請求項２】
制御装置は、電圧調整器が零位置以外のときには主回路スイッチをオンしない機能を有することを特徴とする請求項１記載の変圧器の誘導試験装置。
【請求項３】
制御装置は、インバータの周波数設定機能を有することを特徴とする請求項１または２記載の変圧器の誘導試験装置。
【請求項４】
予め試験に必要な機種データがインプットされたパーソナルコンピュータを備え、
このパーソナルコンピュータは、被試験変圧器に供給される電圧および電流のデータを得て、試験結果を自動的に判定するように構成されていることを特徴とする請求項１ないし３のいずれかに記載の変圧器の誘導試験装置。
【請求項５】
請求項１ないし４のいずれかに記載の変圧器の誘導試験装置が搭載されていることを特徴とする移動台車。
【発明の詳細な説明】
【０００１】
【発明の属する技術分野】
本発明は、変圧器の品質確認に用いられる誘導試験装置およびこの誘導試験装置を搭載した移動台車に関する。
【０００２】
【従来の技術】
変圧器の製造後の品質確認のための電気試験の１つである誘導試験は、被試験変圧器の一方の巻線を開放し、他方の巻線に定格電圧の２倍の電圧を定格で定められた試験時間印加して、これに耐えられるかを確認するものである。この誘導試験に用いられる電源は、商用周波数（５０Ｈｚまたは６０Ｈｚ）で実施すると、変圧器の鉄心に飽和が生じて実施が困難なため、通常は高周波（１８０Ｈｚから３００Ｈｚ）の電源を用いて実施するようになっている。
【０００３】
【発明が解決しようとする課題】
従来では、変圧器の誘導試験を行なう高周波電源として交流電動機により回転駆動される高周波発電機を用いるようにしているので、次のような不具合があった。
（１）交流電動機と高周波発電機の組合わせは、大きな設置スペースを必要とし、また、高価である。
（２）回転電機の組合わせであるので、騒音を発生し、また、消費電力も大きい。
（３）高周波発電機の起動から試験を開始できる安定した電圧になるまでの起動時間が長い。
（４）交流電動機と高周波発電機の組合わせは重量物であるので、移動させることは困難である。
【０００４】
本発明は上述の事情に鑑みてなされたものであり、その第１の目的は、設置スペースが小さくてすみ、安価であり、騒音の発生もなく、消費電力も少なくてすみ、また、起動時間も短くなる変圧器の誘導試験装置を提供するにあり、更に、第２の目的は、上記誘導試験装置を容易に移動することができる移動台車を提供するにある。
【０００５】
【課題を解決するための手段】
上記第１の目的を達成するために、請求項１記載の変圧器の誘導試験装置は、被試験変圧器に対する誘導試験用高周波電源を作成するためのインバータと、このインバータに交流電源を供給する電源供給路を構成する主回路スイッチと、前記インバータに対する電源供給路に設けられた高周波成分低減用のブロッキングコイルと、前記インバータの出力電圧を調整する電圧調整器と、この電圧調整器の出力電圧を昇圧して前記被試験変圧器に供給するための複数の昇圧変圧器と、これらの複数の昇圧変圧器の１つに選択的に電圧調整器の出力電圧を供給する選択手段と、前記主回路スイッチおよびインバータを制御する制御装置とを具備するところに特徴を有する。
このような構成によれば、インバータは従来の交流電動機および周波数発電機の組合わせ構成に比し小形であるので、設置スペースが小さくてすみ、安価であり、インバータは静止形であるので、騒音の発生もなく、消費電力も少なくすみ、起動時間即ち試験準備時間も短くなる。
【０００６】
また、電圧調整器により被試験変圧器に供給される電圧を試験電圧まで徐々に上昇させることができるので、被試験変圧器に急激に試験電圧が印加されることを防止することができる。
【０００７】
更に、複数の昇圧変圧器により昇圧率を選択することができるので、低電圧用の被試験変圧器から高電圧用の被試験変圧器まで広く対処することができる。
そして、インバータの入力電源たる商用交流電源に高周波成分が重畳していたとしても、これをブロッキングコイルで低減し得て、誘導試験に悪影響を及ぼすことはない。
【０００８】
請求項２記載の変圧器の誘導試験装置は、電圧調整器が零位置以外のときには主回路スイッチをオンしない機能を有することを特徴とする。
このような構成によれば、電圧調整器が零位置以外のときにはインバータに電源が投入されないので、被試験変圧器に急激に試験電圧が印加されることを自動的に防止することができる。
【０００９】
請求項３記載の変圧器の誘導試験装置は、制御装置は、インバータの周波数設定機能を有することを特徴とする。
【００１０】
請求項４記載の変圧器の誘導試験装置は、予め試験に必要な機種データがインプットされたパーソナルコンピュータを備え、このパーソナルコンピュータを、被試験変圧器に供給される電圧および電流のデータを得て、試験結果を自動的に判定するように構成するところに特徴を有する。
このような構成によれば、パーソナルコンピュータにより自動的に誘導試験および試験結果の判定が行なわれるので、試験者の負担を軽減することができ、また、試験結果の判定ミスを生じることもない。
【００１１】
請求項５記載の移動台車は、請求項１ないし４のいずれかに記載の変圧器の誘導試験装置が搭載されていることを特徴とする。
このような構成によれば、誘導試験装置の移動が容易になり、その使用範囲の拡大を図ることができる。
【００１２】
【発明の実施の形態】
以下、本発明の第１の実施例について、図１ないし図６を参照しながら説明する。
まず、図１には、誘導試験装置１全体の電気的構成図（単線結線図）が示されている。この図１において、主回路スイッチ２は、配線用遮断器或いはノーヒューズブレーカからなるもので、外部信号による遮断（オフ）機能および投入（オン）機能を有する。この主回路スイッチ２において、その電源側端子は、三相の商用交流電源３に接続され、負荷側端子は、高周波成分低減用のブロッキングコイル４を介してインバータ５の入力端子に接続され、以て、インバータ５に電源を供給する電源供給路たる主回路６が構成されている。インバータ５は、図示はしないが、交流を直流に変換して出力する整流回路と、この潮流回路からの直流出力を正弦波の高周波電源（周波数１８０Ｈｚから３００Ｈｚ）に変換して出力するインバータ主回路と、このインバータ主回路のスイッチング素子を制御する制御回路と、などから構成されている。
【００１３】
インバータ５の出力端子は、電圧調整器７の入力端子に接続されており、この電圧調整器７の出力端子は、選択手段たる切換スイッチからなる選択スイッチ８に接続されている。ここで、電圧調整器７は、操作ダイアル７ａ（図３参照）が回動操作されることにより、インバータ５からの高周波電源電圧を零電圧から最高電圧まで調整できるようになっている。また、選択スイッチ８は、接点８ａ、８ｂを有していて、選択信号が与えられる毎に接点８ａ、８ｂを交互にオンさせるようになっている。
【００１４】
複数の昇圧変圧器たる高圧用昇圧変圧器９および低圧用昇圧変圧器１０は、それぞれ一次巻線９Ｐおよび１０Ｐと二次巻線９Ｓおよび１０Ｓとを有するもので、一次巻線９Ｐおよび１０Ｐは、選択スイッチ８の接点８ａおよび８ｂにそれぞれ接続されている。そして、例えば、高圧用昇圧変圧器９の二次巻線９Ｓは、被試験変圧器１１の一方の巻線たる二次巻線１１Ｓに接続されている。尚、被試験変圧器１１は降圧用変圧器で、その一次巻線１１Ｐは開放されている。
【００１５】
コントロールパネル１２には、デジタル式の電圧計１３、デジタル式の電流計１４およびデジタル式の周波数計１５が設けられているとともに、スタートスイッチ１６、選択指令スイッチ１７、タイマ１８、警報ランプ１９および電源スイッチ２０が設けられている。
【００１６】
コントロールパネル１２は、マイクロコンピュータとその周辺回路とから構成された制御装置２１を備えており、以下これについて図２を参照して述べる。制御装置２１の各入力端子には、電圧検出手段たる電圧センサ２２、電流検出手段たる電流センサ２３、位置検出手段たる位置センサ２４が接続されている。この場合、電圧センサ２２は、電圧調整器７の出力電圧を検出するようになっており、電流センサ２３は、電圧調整器７からの電流を検出するようになっており、そして、位置センサ２４は、電圧調整器７の操作ダイアル７ａが零位置（電圧調整器７の出力が零電圧）にあることを検出して位置検出信号を出力するようになっている。尚、制御装置２１の各入力端子には、前述したスタートスイッチ１６および選択指令スイッチ１７も接続されている。
【００１７】
制御装置２１の各出力端子には、前述した主回路スイッチ２、選択スイッチ８、電圧計１３、電流計１４、周波数計１５および警報ランプ１９が接続されている。そして、制御装置２１の入出力端子には、インバータ５が接続されており、制御装置２１は、インバータ５に周波数指令を与え、インバータ５は、出力電圧の実際の周波数のデータを制御装置２１に与えるようになっている。
【００１８】
さて、図３および図４には、誘導試験装置１を搭載した移動台車２５が示されている。即ち、本体ボックス２６において、底板には４個のキャスタ２７が設けられており、側板上部にはハンドル２８が設けられている。本体ボックス２６の上板には、コントロールパネル１２が配設されており、このコントロールパネル１２には、前述した電圧計１３、電流計１４、周波数計１５、スタートスイッチ１６、選択指令スイッチ１７、タイマ１８、警報ランプ１９および電源スイッチ２０が配設されていることは勿論である。この場合、タイマ１８は、操作釦１８ａを有していて、この操作釦１８ａが押圧操作されると、リセットされた後、設定された試験時間の計時動作を開始し、その計時時間をデジタル表示するようにになっている。
【００１９】
また、本体ボックス２６の上面には、主回路スイッチ２が配設されており、更に、本体ボックス２６内の上部には、電圧調整器７（図１参照）が配設されていて、その操作ダイアル７ａは上板の上方に位置するようになっている。尚、図３および図４には図示してはいないが、本体ボックス２６内には、ブロッキングコイル４、インバータ５、選択スイッチ８、高圧用昇圧変圧器９および低圧用昇圧変圧器１０（いずれも図１参照）が配設されている。
【００２０】
次に、本実施例の作用につき、図５および図６をも参照して説明する。
今、高圧用昇圧変圧器９の二次巻線９Ｓに被試験変圧器１１の二次巻線１１Ｓが接続されているものとし、試験者が電源スイッチ２０をオンさせると、制御装置２１が動作を開始（スタート）する。制御装置２１は、先ず、「昇圧変圧器選択」の処理ステップＳ１になり、試験者が選択指令スイッチ１７をオンさせる毎に選択信号を選択スイッチ８に与えて接点８ａ、８ｂを交互にオンさせる。このときには、選択スイッチ８の接点８ａをオンさせて高圧用昇圧変圧器９を選択するものとする。
【００２１】
制御装置２１は、次に「スタートスイッチオン？」の判断ステップＳ２に移行し、ここでは、スタートスイッチ１６がオンされたか否かを判断し、「ＮＯ」のときには処理ステップＳ１を経て判断ステップＳ２に戻る。試験者がスタートスイッチ１６をオンさせると、制御装置２１は、判断ステップＳ２で「ＹＥＳ」を判断して「零位置？」の判断ステップＳ３に移行する。制御装置２１は、この判断ステップＳ３では、位置センサ２４からの位置検出信号の有無により電圧調整器７の操作ダイアル７ａが零位置にあるか否かを判断するもので、「ＮＯ」（零位置にない）と判断したときには「警報ランプ点灯」の処理ステップＳ４に移行して、警報ランプ１９を点灯させ、判断ステップＳ３に戻る。以下、判断ステップＳ３および処理ステップＳ４を繰り返すことにより警報ランプ１９が点灯し続ける。
【００２２】
警報ランプ１９の点灯により試験者が電圧調整器７が零位置にないことを知って、操作ダイアル７ａを操作して零位置に戻すと、制御装置２１は、判断ステップＳ３で「ＹＥＳ」と判断して「主回路スイッチオン」の処理ステップＳ５に移行し、主回路スイッチ２をオンさせる。即ち、制御装置２１は、電圧調整器７が零位置以外のときには、判断ステップＳ３および処理ステップＳ４を繰返すことにより処理ステップＳ５には移行しないのであり、従って、電圧調整器７が零位置以外のときには主回路スイッチ２をオンしない（インバータ５に対する電源の投入を禁止する）インターロック機能を有するのである。
【００２３】
制御装置２１は、次に「周波数指令出力」の処理ステップＳ６に移行し、インバータ５に運転周波数を指令する。これにより、インバータ５は、３相交流電源３からの交流電源電圧が主回路スイッチ２およびブロッキングコイル４を介して与えられて、その交流電源電圧を整流した直流電源電圧より運転周波数指令に基づく高周波の交流電圧を作成し、作成した高周波交流電圧を電圧調整器７に与える。
【００２４】
制御装置２１は、その後、「電圧．電流，周波数  表示」の処理ステップ（サブルーチン）Ｓ７に移行する。そこで、試験者は、操作ダイアル７ａを操作することによって、電圧調整器７の出力電圧を零電圧から被試験変圧器１１の二次巻線１１Ｓの定格電圧の２倍の電圧に相当する試験電圧まで徐々に上昇させる。これにより、高圧用昇圧変圧器９の二次巻線９Ｓには、選択スイッチ８の接点８ａを介して零電圧から被試験変圧器１１の二次巻線１１Ｓの定格電圧の２倍の電圧たる試験電圧まで徐々に印加されるようになる。この場合、インバータ５の入力電源たる商用交流電源３に、図５（ａ）に示すように、高周波成分が重畳していたとしても、これを、ブロッキングコイル４が図５（ｂ）のように低減し得て、誘導試験に悪影響を及ぼすことはない。なお、図５においては電源電圧の１相分のみを示している。
【００２５】
而して、制御装置２１は、処理ステップ（サブルーチン）Ｓ７において電圧センサ２２および電流センサ２３により高圧用昇圧変圧器９の一次巻線９Ｐに対する電圧および電流を検出して電圧計１３および電流計１４にデジタル表示させるとともに、インバータ５からの周波数信号によりインバータ５の実際の運転周波数を周波数計１５にデジタル表示させる。
【００２６】
試験者は、電圧計１３を視認しながら被試験変圧器１１の二次巻線１１Ｓの試験電圧まで電圧調整器７の出力電圧を上昇させ、そして、電圧調整器７の出力電圧が試験電圧まで達したときに電圧調整器７の操作を停止し、タイマ１８の操作釦１８ａを押下操作してタイマ１８をリセットし、タイマ１８に設定された試験時間の計時動作を開始させる。試験者は、電圧計１３と電流計１４を視認して、電圧および電流の関係が適正範囲内にあるか否か、即ち、正常か否かを判定する。そして、試験者は、タイマ１８の試験時間の計時動作の終了時おいても正常と判断した場合には、電圧調整器７の操作ダイアル７ａを零位置に戻し、スタートスイッチ１６を再度押圧することにより主回路スイッチ２をオフさせて試験を終了する。
【００２７】
さて、試験者は、電圧計１３を視認しながら被試験変圧器１１の二次巻線１１Ｓの試験電圧まで電圧調整器７の出力電圧を上昇させているとき、若しくは、タイマ１８が設定された試験時間の計時動作を行なっているときにおいて、電圧計１３と電流計１４を視認して、電圧および電流の関係が適正範囲内にない、即ち、異常であると判定した場合には、直ちに、電圧調整器７の操作ダイアル７ａを零位置に戻すか、或いは、スタートスイッチ１６を再度押圧することにより主回路スイッチ２をオフさせることによって、試験を中止する。
【００２８】
このように本実施例によれば、被試験変圧器１１に対する誘導試験用高周波電源をインバータ５を用いて作成するようにしたものであり、インバータ５は従来の交流電動機および周波数発電機の組合わせ構成に比し小形であるので、設置スペースが小さくてすみ、安価であり、しかも、インバータ５は静止形であるので、騒音の発生もなく、消費電力も少なくすみ、起動時間即ち試験準備時間も短くなる。
【００２９】
また、本実施例によれば、インバータ５の出力電圧を調整する電圧調整器７およびこの電圧調整器７の出力電圧を昇圧する昇圧変圧器９、１０を設けるようにしたので、電圧調整器７により被試験変圧器１１に供給される電圧を試験電圧まで徐々に上昇させることができ、被試験変圧器１１に急激に試験電圧が印加されることを防止することができる。
【００３０】
更に、本実施例によれば、複数たる２つの昇圧変圧器９、１０を設け、これらの２つの昇圧変圧器９、１０の１つに選択的に電圧調整器７の出力電圧を供給する選択スイッチ８を設けるようにしたので、低電圧用の被試験変圧器から高電圧用の被試験変圧器まで広く対処することができる。
【００３１】
更にまた、本実施例によれば、制御装置２１は、電圧調整器７が零位置以外のときにはインバータ５に対する電源の投入を禁止するインタロック機能を有するので、電圧調整器７が零位置以外のときにはインバータ５に電源が投入されることはなく、被試験変圧器１１に急激に試験電圧が印加されることを自動的に防止することができる。
【００３２】
そして、本実施例によれば、インバータ５に対する電源供給路たる主回路６に高周波成分低減用のブロッキングコイル４を設けるようにしたので、インバータ５の入力電源たる商用交流電源３に高周波成分が重畳していたとしても、これを低減し得て、誘導試験に悪影響を及ぼすことはない。
しかも、誘導試験装置１を移動台車２５に搭載するようにしたので、誘導試験装置１の移動が容易になり、その使用範囲の拡大を図ることができる。
【００３３】
図７ないし図９は本発明の第２の実施例であり、第１の実施例と同一部分には同一符号を付して示し、以下異なる部分について説明する。
図７において、制御装置２１の入力端子にはデータ転送スイッチ２９が接続され、制御装置２１の出力端子は駆動部３０に接続されている。この場合、駆動部３０は、電圧調整器７の操作ダイアル７ａ（図３参照）を回動駆動するように設けられたもので、正転駆動信号が与えられると、高電圧方向に回動させ、逆転駆動信号が与えられると、零電圧方向に回動させるようになっている。
【００３４】
パーソナルコンピュータ３１は、移動台車２５（図３および図４参照）とは別に設置されたもので、その入出力端子が制御装置２１の入出力端子に接続され、入力端子がキーボード３２に接続され、出力端子がＣＲＴ３３に接続されていて、後述するように動作するようになっている。この場合、パソナルコンピュータ３１には、キーボード３２により被試験変圧器１１（図１参照）の機種データたる設定電圧（試験電圧）、設定時間（試験時間）および限界電流などが予めインプットされている。
【００３５】
次に、この第２の実施例の作用について、図８および図９を参照しながら説明する。
先ず、制御装置２１の動作について、図８に示すフローチャートに従って述べる。
制御装置２１は動作を開始（スタート）すると、処理ステップＳ１を経て「データ転送スイッチオン？」の判断ステップＳ８に移行し、ここでは、データ転送スイッチ２９がオンされたか否かを判断するもので、「ＮＯ」のときには処理ステップＳ１を経て判断ステップＳ８に戻る。そこで、試験者がデータ転送スイッチ２９をオンさせると、制御装置２１は、判断ステップＳ８で「ＹＥＳ」と判断して「データ転送信号出力」の処理ステップＳ９に移行し、パーソナルコンピュータ３１にデータ転送信号を出力し、次の「機種データあり」の判断ステップＳ１０となり、「ＮＯ」であればこの判断ステップＳ１０を繰返す。
【００３６】
パーソナルコンピュータ３１が後述するように機種データたる設定電圧データを出力すると、制御装置２１は、判断ステップＳ１０で「ＹＥＳ」と判断して  「機種データ読込み」の処理ステップＳ１１に移行し、パーソナルコンピュータ３１からの設定電圧データを読込んでメモリに記憶させる。制御装置２１は、次に判断ステップＳ２に移行し、「ＮＯ」のときにはこの判断ステップＳ２を繰返すが、「ＹＥＳ」のときには判断ステップＳ３に移行する。
【００３７】
制御装置２１は、この判断ステップＳ３では、前述したように、電圧調整器７の操作ダイアル７ａ（図３参照）が零位置にあるか否かを判断するものであり、「ＮＯ」（零位置にない）のときには「駆動部動作」の処理ステップＳ１２に移行し、駆動部３０に逆転駆動信号を与えて操作ダイアル７ａを零位置（零電圧）方向に回動駆動させ、再び判断ステップＳ３に戻る。制御装置２１は、操作ダイアル７ａが零位置になるまで判断ステップＳ３および処理ステップＳ１２を繰返し、操作ダイアル７ａが零位置になって判断ステップＳ３で「ＹＥＳ」と判断すると、処理ステップＳ５に移行して主回路スイッチ２をオンさせる。
【００３８】
制御装置２１は、その後、処理ステップＳ６を経て「駆動部動作」の処理ステップＳ１３に移行し、駆動部３０に正転駆動信号を与えて操作ダイアル７ａを高電圧方向に駆動回動させ、電圧調整器７の出力電圧を零電圧から上昇させる。制御装置２１は、次に「電圧，電流，周波数の表示  電圧および電流データの出力」の処理ステップ（サブルーチン）Ｓ１４に移行し、電圧センサ２２および電流センサ２３からの検出電圧および検出電流を電圧計１３および電流計１４に表示させ、インバータ５からの周波数信号を周波数計１５に表示させるとともに、電圧センサ２２および電流センサ２３が検出する電圧データおよび電流データをパーソナルコンピュータ３１に出力する。その後、制御装置２１は、後述する「異常信号あり？」の判断ステップＳ１５で「ＮＯ」と判断して「設定電圧？」の判断ステップＳ１６に移行する。
【００３９】
制御装置２１は、この判断ステップＳ１６では、電圧センサ１３が検出する電圧が機種データたる設定電圧になったか否かを判断するもので、「ＮＯ」のときには処理ステップＳ１３の戻り、以下、処理ステップＳ１４、判断ステップＳ１５およびＳ１６を繰返す。従って、電圧調整器７の出力電圧は零電圧から高電圧方向に徐々に上昇する。そして、電圧センサ２２が検出する電圧が設定電圧になると、制御装置２１は、判断ステップＳ１６で「ＹＥＳ」と判断して処理ステップＳ１４と同様の処理ステップＳ１７を経て「異常信号あり？」の判断ステップＳ１８に移行し、ここで、パーソナルコンピュータ３１から異常信号が与えられたか否かを判断する。
【００４０】
制御装置２１は、パーソナルコンピュータ３１からの異常信号がないときには、判断ステップＳ１８で「ＮＯ」と判断して「正常信号あり？」の判断ステップＳ１９に移行し、ここで、パーソナルコンピュータ３１から正常信号が与えられたか否かを判断する。そして、制御装置２１は、パーソナルコンピュータ３１からの正常信号がないときには、判断ステップＳ１９で「ＮＯ」と判断して処理ステップＳ１７に戻り、以下、処理ステップＳ１７、判断ステップＳ１８および１９を繰返す。
【００４１】
制御装置２１は、以上のような状態で、パーソナルコンピュータ３１から正常信号が与えられたときには、判断ステップＳ１９で「ＹＥＳ」と判断して「駆動部動作（零位置まで）」の処理ステップＳ２０に移行し、駆動部３０に逆転駆動信号を与えて、電圧調整器７の操作ダイアル７ａを零位置まで戻した上で、主回路スイッチ２をオフさせて試験を終了する（エンド）。また、制御装置２１は、以上のような状態で、パーソナルコンピュータ３１から異常信号があたえられたときには、判断ステップＳ１８で「ＹＥＳ」と判断して「主回路スイッチオフ」の処理ステップＳ２１に移行し、主回路スイッチ２をオフさせて試験を中止させる。
【００４２】
なお、制御装置２１は、処理ステップＳ１３、１４、判断ステップＳ１５およびＳ１６を繰返して電圧調整器７の出力電圧を設定電圧まで上昇させている場合において、パーソナルコンピュータ３１から異常信号が与えられたときには、判断ステップＳ１５で「ＹＥＳ」と判断して「主回路スイッチオフ」の処理ステップＳ２１に移行する。
【００４３】
次に、パーソナルコンピュータ３１の動作について、図９に示すフローチャートに従って述べる。
パーソナルコンピュータ３１は、電源が投入されると動作を開始（スタート）し、先ず「データ転送信号あり？」の判断ステップＰ１となり、ここでは、制御装置２１からデータ転送信号が与えられたか否かを判断し、「ＮＯ」のときにはこの判断ステップＰ１を繰返すが、前述したように、制御装置２１からデータ転送信号が与えられたときには（図８の処理ステップＳ９に対応）、「ＹＥＳ」と判断して「機種データ出力」の処理ステップＰ２に移行する。パーソナルコンピュータ３１は、この処理ステップＰ２では、被試験変圧器１１の機種データとして設定電圧（試験電圧）データを制御装置２１に出力する（図８の判断ステップＳ９に対応）。
【００４４】
パーソナルコンピュータ３１は、「電圧，電流データの読込み」の処理ステップＰ３に移行し、ここで、制御装置２１から与えられる電流および電圧データを読込み（図８の処理ステップＳ１４に対応）、判断ステップＰ４に移行する。パーソナルコンピュータ３１は、判断ステップＰ４では、処理ステップＰ３で読込んだ電圧および電流データから電圧および電流の関係が適正範囲内にあるか否か、即ち、正常か否かをを自動的に判断する。そして、パーソナルコンピュータ３１は、判断ステップＰ４で「ＹＥＳ」（適正範囲内）と判断したときには、「設定電圧？」の判断ステップＰ５に移行し、ここで、処理ステップＰ３で読込んだ電圧データから電圧調整器７の出力電圧が設定電圧になったか否かを判断し、  「ＮＯ」のときには処理ステップＰ３に戻り、以下、判断ステップＰ４、Ｐ５および処理ステップＰ３を繰返す。
【００４５】
パーソナルコンピュータ３１は、判断ステップＰ５で「ＹＥＳ」（設定電圧）と判断したときには、「タイマスタート」の処理ステップＰ６となり、タイマに設定時間（試験時間）の計時動作を開始させ、その後、処理ステップＰ３と同様の処理ステップＰ７を経て「正常か？」の判断ステップＰ８に移行する。パーソナルコンピュータ３１は、この判断ステップＰ８では、処理ステップＰ７で読込んだ電圧および電流データから電圧および電流の関係が適正範囲内にあるか否か、即ち、正常か否かをを自動的に判断する。そして、パーソナルコンピュータ３１は、判断ステップＰ８で「ＹＥＳ」（適正範囲内）と判断したときには、「設定時間？」の判断ステップＰ９に移行し、ここで、タイマが設定時間の計時動作を終了したか否かを判断し、「ＮＯ」のときには、処理ステップＰ７に戻る。
【００４６】
パーソナルコンピュータ３１は、タイマが設定時間の計時動作を終了していないときには、処理ステップＰ７、判断ステップＰ８およびＰ９を繰返すようになるが、タイマが設定時間の計時動作を終了すると、判断ステップＰ９で「ＹＥＳ」と判断して「正常信号出力」の処理ステップＰ１０に移行し、制御装置２１に正常信号を出力する（図８の判断ステップＳ１９に対応）。その後、パーソナルコンピュータ３１は、「正常表示」の処理ステップＰ１１に移行し、ここで、ＣＲＴ３３に正常である旨の表示をさせ、動作を終了（エンド）する。
【００４７】
また、パーソナルコンピュータ３１は、処理ステップＰ７、判断ステップＰ８およびＰ９を繰返している場合において、判断ステップＰ８で「ＮＯ」（異常）と判断したときには、「異常信号出力」の処理ステップＰ１２に移行し、制御装置２１に異常信号を出力する（図８の判断ステップＳ１８に対応）。その後、パーソナルコンピュータ３１は、「異常表示」の処理ステップＰ１３に移行し、ここで、ＣＲＴ３３に異常である旨の表示をさせ、動作を終了する。
【００４８】
なお、パーソナルコンピュータ３１は、処理ステップＰ３、判断ステップＰ４およびＰ５を繰返している場合において、判断ステップＰ４で「ＮＯ」（異常）と判断したときには、「異常信号出力」の処理ステップＰ１２に移行し、制御装置２１に異常信号を出力する（図８の判断ステップＳ１５に対応）。
【００４９】
このように第２の実施例によれば、第１の実施例と同様の効果が得られるとともに、特に、制御装置２１にパーソナルコンピュータ３１を接続し、パソナルコンピュータ３１にインプットされた機種データに基づき制御装置２１が電圧調整器７を零電圧から設定電圧（試験電圧）まで上昇させ、その設定電圧に設定時間（試験時間）だけ保つようにし、そして、パソナルコンピュータ３１が制御装置２１から電圧および電流データを得て被試験変圧器１１の正常、異常の試験結果を自動的に判定するようにしたので、試験者の負担を軽減することができ、試験結果の判定ミスを生じることもない。
【００５０】
なお、本発明は上記し且つ図面に示す実施例にのみ限定されるものではなく、次のような変形、拡張が可能である。
実施例では、ブロッキングフィルタ４を設けるようにしたが、これは必要に応じて設ければよい。
パーソナルコンピュータ３１を移動台車２５に搭載してもよい。
誘導試験装置１は、移動台車２５に搭載しなくても、１つのセットとして構成するようにしてもよい。
【発明の効果】
以上の記述で明らかなように、本発明の変圧器の誘導試験装置よれば、被試験変圧器に対する誘導試験用高周波電源をインバータを用いて作成するようにしたので、設置スペースが小さくてすみ、安価であり、騒音の発生もなく、消費電力も少なくてすみ、また、起動時間即ち試験準備時間も短くなる。また、インバータの出力電圧を調整する電圧調整器およびこの電圧調整器の出力電圧を昇圧する昇圧変圧器が設けられているので、電圧調整器により被試験変圧器に供給される電圧を試験電圧まで徐々に上昇させることができ、被試験変圧器に急激に試験電圧が印加されることを防止することができる。更に、昇圧変圧器は複数設けられ、これらの複数の昇圧変圧器の１つに選択的に電圧調整器の出力電圧を供給する選択手段が設けられているので、複数の昇圧変圧器により昇圧率を選択することができ、低電圧用の被試験変圧器から高電圧用の被試験変圧器まで広く対処することができる。そして、インバータに対する電源供給路に高周波成分低減用のブロッキングコイルが設けられているので、インバータの入力電源たる商用交流電源に高周波成分が重畳していたとしても、これを低減し得て、誘導試験に悪影響を及ぼすことはない。
また、本発明の移動台車によれば、上記した誘導試験装置を搭載するようにしたので、誘導試験装置を容易に移動することができ、使用範囲の拡大を図ることができる。
【図面の簡単な説明】
【図１】本発明の第１の実施例を示す全体の電気的構成図
【図２】コントロールパネルの電気的構成を示すブロック線図
【図３】移動台車の平面図
【図４】同正面図
【図５】作用説明用の電圧波形図
【図６】制御内容を示すフローチャート
【図７】本発明の第２の実施例を示す図２相当図
【図８】図６相当図
【図９】パーソナルコンピュータの制御内容を示すフローチャート
【符号の説明】
図面中、１は誘導試験装置、２は主回路スイッチ、４はブロッキングコイル、５はインバータ、６は主回路（電源供給路）、７は電圧調整器、８は選択スイッチ（選択手段）、９は高圧用昇圧変圧器、１０は低圧用昇圧変圧器、１１は被試験変圧器、１３は電圧計、１４は電流計、１６はスタートスイッチ、１７は選択指令スイッチ、１８はタイマ、１９は警報ランプ、２１制御装置、２２は電圧センサ（電圧検出手段）、２３は電流センサ（電流検出手段）、２４は位置センサ（位置検出手段）、２５は移動台車、２９はデータ転送スイッチ、３０は駆動部、３１はパーソナルコンピュータ示す。
【図１】
0004497626.tif 000002
【図２】
0004497626.tif 000003
【図３】
0004497626.tif 000004
【図４】
0004497626.tif 000005
【図５】
0004497626.tif 000006
【図６】
0004497626.tif 000007
【図７】
0004497626.tif 000008
【図８】
0004497626.tif 000009
【図９】
0004497626.tif 000010